【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
固体の異物を包含している水から前記異物を取り除くための薄板装置における、少なくとも２つの剛体のスキミングバーの組み合わせであって、各前記剛体のスキミングバーは、平らな遠位縁部を有し、各平らな遠位縁部上には、柔軟で弾力のあるスキミング材料が取り付けられることを特徴とする組み合わせ。
【請求項２】
固体の異物を包含している水から前記異物を取り除くための薄板装置における、平らな多孔板であって、前記平らな多孔板は、背部およびその中にある複数の穿孔を有し、穿孔のサイズは、式：
【数１】
2016128165.tif 000001
に基づいて計算され、多孔板の厚さは、１／４インチを超えないことを特徴とする平らな多孔板。
【請求項３】
固体の異物を包含している水から前記異物を取り除くための薄板装置における、平らな多孔板の背部の近くに取り付けられた移動可能な固体のエフェクター板であって、前記移動可能な固体のエフェクター板は、背面、上端、および前面を有することを特徴とする移動可能な固体のエフェクター板。
【請求項４】
固体の異物を包含している水から前記異物を取り除くための薄板装置における、平らな多孔板の背部に対して取り付けられた移動可能な個体のエフェクター板の組み合わせであって、前記移動可能な個体のエフェクター板は、背面、上端、および前面を有し、前記移動可能な個体のエフェクター板の前面は、多孔板に接触しており、前記移動可能な固体のエフェクター板は、予め決められたようにスキマーバーと連携して、基本的に垂直運動で、上下に移動可能であることを特徴とする組み合わせ。
【請求項５】
固体の異物を包含している水から前記異物を取り除くための薄板装置における、上端を有する移動可能な個体のエフェクター板の組み合わせであって、移動可能な固体のエフェクター板の上端は、ワイパーブレードへ枢動可能に繋がれ、前記ワイパーブレードは、遠位端を有し、ワイパーブレードの前記遠位端は、スキマーバーの上面に接触するように充分に長く、ワイパーブレードの近位アームは、アクチュエーターカムに繋がれ、前記アクチュエーターカムは、ワイパーブレードにスキマーバーの上面をこすらせ、ワイパーブレードをスキマーバーから落とし、エフェクター板を重力の重みによって落下させることができることを特徴とする組み合わせ。
【請求項６】
固体の異物を包含している水から前記異物を取り除くための薄板装置における、移動可能な固体のエフェクター板であって、前記エフェクター板は、持ち上げと解放の機構を有し、前記持ち上げと解放の機構は、近位端および遠位端を有する、下部の枢動可能な支持アームを含み、近位端は、支持フレームに枢動可能に取り付けられ、遠位端は、ダンプナー手段に枢動可能に取り付けられ、前記ダンプナー手段は、遠位端を有し、前記ダンプナー手段は前記移動可能な固体のエフェクター板の背面へ枢動可能に取り付けられることを特徴とする移動可能な固体のエフェクター板。
【請求項７】
固体の異物を包含している水から前記異物を取り除くための薄板装置における、波状の多孔板の背面に対して配置され、移動可能な固体のエフェクター板の動きによって垂直方向に移動するように調整される配水機構を備える薄板装置の組み合わせ。
【請求項８】
固体の異物を包含している水から前記異物を取り除くための薄板装置における、波状の多孔板内に含まれる配水機構を備える薄板装置の組み合わせ。
【請求項９】
固体の異物を包含している水から前記異物を取り除くための薄板装置における、複数の剛体のスキミングバーと、前記スキミングバーを受けるように構成された波状の多孔板との組み合わせであって、前記波状の多孔板は、その中に複数の穿孔を有し、穿孔のサイズは、式：
【数２】
2016128165.tif 000002
に基づいて計算され、ここで、多孔板の厚さは、１／４インチを超えず、
前記波状の多孔板は、さらに、固体の垂直バーを含む粗目スクリーン部品を有し、前記固体の垂直バーは、前記波状の多孔板の波形の前縁に位置することを特徴とする組み合わせ。
【請求項１０】
固体の異物を包含している水から前記異物を取り除くための薄板装置における、固体の垂直バーを含む粗目スクリーン部品を有する平らな多孔板であって、前記個体の垂直バーは、前記平らな多孔板の前面上に独立して配置されることを特徴とする平らな多孔板。
【請求項１１】
固体の異物を包含している水から前記異物を取り除くための薄板装置における、波状の多孔板の組み合わせであって、前記波状の多孔板は、近位の水平縁部および遠位の垂直縁部を有し、および剛体のスキミングバーを受けるように構成され、および、その中に複数の穿孔を有し、穿孔のサイズは、式：
【数３】
2016128165.tif 000003
に基づいて計算され、ここで、多孔板の厚さは、１／４インチを超えず、
前記遠位の垂直縁部は、その中に配置された谷形板を有し、前記谷形板は、スキミングバーの遠位の垂直縁部に接触することを特徴とする組み合わせ。
【請求項１２】
固体の異物を包含している水から前記異物を取り除くための薄板装置における、波状の多孔板の背面に対して配置され、移動可能な固体のエフェクター板の動きによって垂直方向に移動するように調整される給気機構を備える薄板装置の組み合わせ。
【請求項１３】
固体の異物を含む水から該固体の異物を取り除くための薄板装置であって、
前記薄板装置は、２つの、平行な、間隔をおいた垂直支持部（２）から成る支持フレームを含み、該垂直支持部は、剛体の横材によって互いに堅く付けられ、該垂直支持部はおのおの近位端と遠位端を有し、前記垂直支持部（２）の各々の遠位端には側部支持アーム（３）が取り付けられ、前記側部支持アーム（３）の各々は、下方に向いた一組のポストを有し、前記一組のポストは互いに平行であり、前記一組のポストには取付板（４）が取り付けられ、前記取付板（４）は内表面を有し、前記取付板（４）の各々の中央に開口部を有し、当該開口部には共通の回転軸（６）の１つの端部が挿入され、各取付板（４）の内部の表面の近傍には、正方形の軌道の滑車（７）が取り付けられ、当該滑車（７）の各々には、剛体のリンクバーで構成された駆動チェーン（５）が取り付けられ、当該剛体のリンクバーは、互いに連結され、その結果、各リンクバーが、隣接するリンクバーと枢動可能に相互に作用して２つの隣接する駆動チェーンを形成し、複数の剛体のスキミングバー（８）によって、離間した配置で互いに取り付けられ、剛体のスキミングバー（８）は各々遠位エッジを有し、各遠位エッジには、柔軟で弾力のあるスキミング材料が取り付けられ、前記遠位端の近傍及び前記垂直サポート間に多孔板（９）が取り付けられ、前記多孔板（９）はスクリーンとして機能し、前記多孔板（９）は背部と複数の穿孔（１５）を有し、当該穿孔（１５）のサイズは、
式：
【数４】
2016128165.tif 000004
に基づいて計算され、ここで、多孔板の厚さは、６．３５ｍｍ（１／４インチ）を超えず、前記スキミングバー（８）は前記多孔板（９）と接触せず、
前記薄板装置は、更に前記背部の近傍に取り付けられた移動自在の固体のエフェクター板（１０）を備え、前記移動自在のエフェクター板（１０）は、背面、上端部、および前面を有し、前記移動自在のエフェクター板の前面は、多孔板（９）に接触しておらず、前記移動自在の固体のエフェクター板は、スキミングバー（８）との予め定義された協働による本質的に垂直運動で上下に移動可能であり、その結果、曲がった水のフローが生成され多孔板（９）の上へ砕片を押し、スキミングバーによって異物の収集のために利用可能にし、異物が水路から放出され除去されることを可能にし、前記移動自在のエフェクター板（１０）の移動は、昇降及び放出機構によって提供され、前記昇降及び放出機構は、近位端と遠位端を有する下部の枢動自在の支持アームを備え、前記近位端は前記支持アームに枢動自在に取り付けられ、前記遠位端はダンプナー手段（１１）に取り付けられ、前記ダンプナー手段（１１）は遠位端を有し、前記ダンプナー手段（１１）は前記移動自在の固体のエフェクター板（１０）の背面に枢動自在に取り付けられ、前記移動自在の固体のエフェクター板（１０）の上端部はワイパーブレード（１６）に枢動自在に結合され、ワイパーブレード（１６）は遠位端を有し、前記ワイパーブレード（１６）の遠位端はスキミングバー（８）の上面と接触するほど長く、前記ワイパブレード（１６）の近位アームはアクチュエーターカム（１８）に接合され、前記アクチュエータカム（１８）がワイパブレード（１６）をスキミングバー（８）から脱落させ、エフェクター板（１０）が当該装置の基部の初期位置に重力の重みによって落下することを可能にし、前記ワイパーブレード（１６）は連結部（１９）を有し、該連結部（１９）はダンプナー手段（１１）の動的機器に取り付けられ、
前記薄板装置は、更に共通の回転軸に駆動自在に接続された駆動手段を備えている
ことを特徴とする固体の異物を含む水から該固体の異物を取り除くための薄板装置。